【手続補正書】
【提出日】平成17年2月4日(2005.2.4)
【手続補正１】
【補正対象書類名】明細書
【補正対象項目名】特許請求の範囲
【補正方法】変更
【補正の内容】
【特許請求の範囲】
【請求項１】
第１のパルス信号に応答してチャージ動作を行う吐き出し回路と、第２のパルス信号に応答してディスチャージ動作を行う吸い込み回路を含み、前記吐き出し回路と吸い込み回路の接続点を出力端子として該端子から前記チャージ動作とディスチャージ動作に基づく電圧の出力信号を出力するチャージ／ディスチャージ回路と、
前記出力端子に接続され、前記吐き出し回路と吸い込み回路の状態を検出し、その検出結果に応じた制御信号を出力する検出回路と、
前記制御信号に基づいて前記吐き出し回路と前記吸い込み回路を制御し、吐き出し回路のチャージ量と吸い込み回路のディスチャージ量とのバランスを補正する補正回路と
を備え、
前記検出回路は、前記出力端子の電位に基づいて前記吐き出し回路と吸い込み回路の状態を検出して前記制御信号を出力し、
前記補正回路は、前記制御信号に基づいて、前記出力端子の電位が高い場合には吸い込み回路の駆動能力又は導通度を下げ、前記出力端子の電位が低い場合には吐き出し回路の駆動能力又は導通度を下げるように前記吸い込み回路及び吐き出し回路を制御したチャージポンプ回路。
【請求項２】
第１のパルス信号に応答してチャージ動作を行う吐き出し回路と、第２のパルス信号に応答してディスチャージ動作を行う吸い込み回路を含み、前記吐き出し回路と吸い込み回路の接続点を出力端子として該端子から前記チャージ動作とディスチャージ動作に基づく電圧の出力信号を出力するチャージ／ディスチャージ回路と、
前記出力端子に接続され、前記吐き出し回路と吸い込み回路の状態を検出し、その検出結果に応じた制御信号を出力する検出回路と、
前記制御信号に基づいて前記吐き出し回路と前記吸い込み回路を制御し、吐き出し回路のチャージ量と吸い込み回路のディスチャージ量とのバランスを補正する補正回路と
を備え、
前記検出回路は、吐き出し回路、吸い込み回路にかかる電位差を検知し、電位差に基づく前記制御信号を出力し、
前記補正回路は、吐き出し回路側の電位差が高い場合には吐き出し回路の駆動能力又は導通度を下げ、逆に吸い込み回路側の電位差が高い場合には吸い込み回路の駆動能力又は導通度を下げるように前記吸い込み回路及び吐き出し回路を制御したチャージポンプ回路。
【請求項３】
第１のパルス信号に応答してチャージ動作を行う吐き出し回路と、第２のパルス信号に応答してディスチャージ動作を行う吸い込み回路を含み、前記吐き出し回路と吸い込み回路の接続点を出力端子として該端子から前記チャージ動作とディスチャージ動作に基づく電圧の出力信号を出力するチャージ／ディスチャージ回路と、
前記出力端子に接続され、前記吐き出し回路と吸い込み回路の状態を検出し、その検出結果に応じた制御信号を出力する検出回路と、
前記制御信号に基づいて前記吐き出し回路と前記吸い込み回路を制御し、吐き出し回路のチャージ量と吸い込み回路のディスチャージ量とのバランスを補正する補正回路と
を備え、
前記検出回路は、吐き出し回路、吸い込み回路に流れる電流量を検知し、電位差に基づく前記制御信号を出力し、
前記補正回路は、吐き出し電流の方が多い場合には吐き出し回路の駆動能力又は導通度を下げ、吸い込み電流の方が多い場合には吸い込み回路の駆動能力又は導通度を下げるように前記吸い込み回路及び吐き出し回路を制御したチャージポンプ回路。
【請求項４】
第１のパルス信号に応答してチャージ動作を行う吐き出し回路と、第２のパルス信号に応答してディスチャージ動作を行う吸い込み回路を含み、前記吐き出し回路と吸い込み回路の接続点を出力端子として該端子から前記チャージ動作とディスチャージ動作に基づく電圧の出力信号を出力するチャージ／ディスチャージ回路と、
前記出力端子に接続され、前記吐き出し回路と吸い込み回路の状態を検出し、その検出結果に応じた制御信号を出力する検出回路と、
前記制御信号に基づいて前記吐き出し回路と前記吸い込み回路を制御し、吐き出し回路のチャージ量と吸い込み回路のディスチャージ量とのバランスを補正する補正回路と
を備え、
前記検出回路は、前記出力端子の電位に基づいて前記吐き出し回路と吸い込み回路の状態を検出して前記制御信号を出力し、
前記補正回路は、前記制御信号に基づいて、前記出力端子の電位が高い場合には吐き出し回路の駆動能力又は導通度を上げ、前記出力端子の電位が低い場合には吸い込み回路の駆動能力又は導通度を上げるように前記吸い込み回路及び吐き出し回路を制御したチャージポンプ回路。
【請求項５】
第１のパルス信号に応答してチャージ動作を行う吐き出し回路と、第２のパルス信号に応答してディスチャージ動作を行う吸い込み回路を含み、前記吐き出し回路と吸い込み回路の接続点を出力端子として該端子から前記チャージ動作とディスチャージ動作に基づく電圧の出力信号を出力するチャージ／ディスチャージ回路と、
前記出力端子に接続され、前記吐き出し回路と吸い込み回路の状態を検出し、その検出結果に応じた制御信号を出力する検出回路と、
前記制御信号に基づいて前記吐き出し回路と前記吸い込み回路を制御し、吐き出し回路のチャージ量と吸い込み回路のディスチャージ量とのバランスを補正する補正回路と
を備え、
前記検出回路は、吐き出し回路、吸い込み回路にかかる電位差を検知し、電位差に基づく前記制御信号を出力し、
前記補正回路は、吐き出し回路側の電位差が高い場合には吸い込み回路の駆動能力又は導通度を上げ、逆に吸い込み回路側の電位差が高い場合には吐き出し回路の駆動能力又は導通度を上げるように前記吸い込み回路及び吐き出し回路を制御したチャージポンプ回路。
【請求項６】
第１のパルス信号に応答してチャージ動作を行う吐き出し回路と、第２のパルス信号に応答してディスチャージ動作を行う吸い込み回路を含み、前記吐き出し回路と吸い込み回路の接続点を出力端子として該端子から前記チャージ動作とディスチャージ動作に基づく電圧の出力信号を出力するチャージ／ディスチャージ回路と、
前記出力端子に接続され、前記吐き出し回路と吸い込み回路の状態を検出し、その検出結果に応じた制御信号を出力する検出回路と、
前記制御信号に基づいて前記吐き出し回路と前記吸い込み回路を制御し、吐き出し回路のチャージ量と吸い込み回路のディスチャージ量とのバランスを補正する補正回路と
を備え、
前記検出回路は、吐き出し回路、吸い込み回路に流れる電流量を検知し、電位差に基づく前記制御信号を出力し、
前記補正回路は、吐き出し電流の方が多い場合には吸い込み回路の駆動能力又は導通度を上げ、吸い込み電流の方が多い場合には吐き出し回路の駆動能力又は導通度を上げるように前記吸い込み回路及び吐き出し回路を制御したチャージポンプ回路。
【請求項７】
請求項１乃至６のうちの何れか１項に記載のチャージポンプ回路において、
前記吐き出し回路と前記吸い込み回路はそれぞれゲートに前記第１，第２のパルス信号がそれぞれ入力される一対の第１トランジスタを含み、
前記補正回路は、前記一対のトランジスタのゲートにドレインが接続され、ゲートに前記制御信号が入力される一対の第２トランジスタを含み、前記制御信号に基づいて前記一対の第２トランジスタをそれぞれ駆動して前記一対の第１トランジスタのゲート電圧を制御し、該一対の第１トランジスタの駆動能力又は導通度を変更するようにしたチャージポンプ回路。
【請求項８】
請求項７に記載のチャージポンプ回路において、
前記検出回路は、
前記第１の吐き出し回路にかかる電位差を検知し、検知した電流量に応じた電圧の第１の制御信号を出力する第１のオペアンプと、
前記第１の吸い込み回路にかかる電位差を検知し、検知した電流量に応じた電圧の第２の制御信号を出力する第２のオペアンプとを備え、
前記補正回路は、前記第１，第２の制御信号に基づいて前記一対の第２トランジスタを制御して前記一対の第１トランジスタのゲート電圧を制御するようにしたチャージポンプ回路。
【請求項９】
請求項７に記載のチャージポンプ回路において、
前記検出回路は、
前記第１の吐き出し回路に流れる電流量を検知し、検知した電流量に応じた電圧の第１の検知信号を出力する第１の電流量検知手段と、
前記第１の吸い込み回路に流れる電流量を検知し、検知した電流量に応じた電圧の第２の検知信号を出力する第２の電流量検知手段と、
前記第１，第２の検知信号を比較し、その比較結果を制御信号として出力する比較器とを備え、
前記補正回路は、前記制御信号に基づいて前記一対の第２トランジスタを制御して前記一対の第１トランジスタのゲート電圧を制御するようにしたチャージポンプ回路。
【請求項１０】
請求項１乃至６のうちの何れか１項に記載のチャージポンプ回路において、
前記吐き出し回路は、前記第１のパルス信号に基づいてチャージ動作を行う第１の吐き出し回路と、前記補正回路によりチャージ量が制御される第２の吐き出し回路とを備え、
前記吸い込み回路は、前記第２のパルス信号に基づいてディスチャージ動作を行う第１の吸い込み回路と、前記補正回路によりディスチャージ量が制御される第２の吸い込み回路とを備えたチャージポンプ回路。
【請求項１１】
請求項１０に記載のチャージポンプ回路において、
前記第２の吐き出し回路と前記第２の吸い込み回路を複数対備え、
前記補正回路は、前記検出信号に基づいて動作させる前記第２の吐き出し回路と第２の吸い込み回路の対の数を変更するようにしたチャージポンプ回路。
【請求項１２】
請求項１０又は１１に記載のチャージポンプ回路において、
前記検出回路は、
前記第１の吐き出し回路にかかる電位差を検知し、検知した電流量に応じた電圧の第１の制御信号を出力する第１のオペアンプと、
前記第１の吸い込み回路にかかる電位差を検知し、検知した電流量に応じた電圧の第２の制御信号を出力する第２のオペアンプとを備え、
前記補正回路は、前記第１の制御信号に基づいて前記第２の吐き出し回路を制御し、前記第２の制御信号に基づいて前記第２の吸い込み回路を制御するようにしたチャージポンプ回路。
【請求項１３】
請求項１０又は１１に記載のチャージポンプ回路において、
前記検出回路は、
前記第１の吐き出し回路に流れる電流量を検知し、検知した電流量に応じた電圧の第１の検知信号を出力する第１の電流量検知手段と、
前記第１の吸い込み回路に流れる電流量を検知し、検知した電流量に応じた電圧の第２の検知信号を出力する第２の電流量検知手段と、
前記第１，第２の検知信号を比較し、その比較結果を制御信号として出力する比較器とを備え、
前記補正回路は、前記制御信号に基づいて前記第２の吐き出し回路又は前記第２の吸い込み回路を動作させるようにしたチャージポンプ回路。
【請求項１４】
基準信号と比較信号が入力され、基準信号と比較信号の位相差に基づくパルス幅の第１，第２位相差信号を出力する位相比較器と、
前記第１，第２パルス信号として前記位相比較器から出力される前記第１，第２位相差信号をそれぞれ入力し、前記第１，第２位相差信号に基づく出力信号を出力する請求項１乃至１３のうちの何れか１項に記載のチャージポンプ回路と、
前記チャージポンプ回路から出力される出力信号の電圧値に応じた周波数信号を出力する電圧制御発信器と、
前記周波数信号を分周して前記比較信号を出力する分周回路と
を備えたＰＬＬ回路。
【請求項１５】
入力される制御電圧信号の電圧値に応じた周波数信号を出力する電圧制御発振器と、
所定周波数の発信信号を基準周波数に分周した基準信号を出力する基準分周器と、
前記電圧制御発振器の周波数信号を分周した比較信号を出力する比較分周器と、
前記基準信号の位相と前記比較信号の位相を比較し、その比較結果に基づいて前記基準信号と比較信号に対応した第１，第２の位相差信号を出力する位相比較器と、
前記第１，第２の位相差信号に基づいた制御電圧信号を前記電圧制御発振器に出力する請求項１乃至１３のうちの何れか１項に記載のチャージポンプ回路と
を備えたＰＬＬ周波数シンセサイザ。
【手続補正２】
【補正対象書類名】明細書
【補正対象項目名】００４８
【補正方法】変更
【補正の内容】
【００４８】
【課題を解決するための手段】
請求項１に記載の発明は、第１のパルス信号に応答してチャージ動作を行う吐き出し回路と、第２のパルス信号に応答してディスチャージ動作を行う吸い込み回路を含み、前記吐き出し回路と吸い込み回路の接続点を出力端子として該端子から前記チャージ動作とディスチャージ動作に基づく電圧の出力信号を出力するチャージ／ディスチャージ回路と、前記出力端子に接続され、前記吐き出し回路と吸い込み回路の状態を検出し、その検出結果に応じた制御信号を出力する検出回路と、前記制御信号に基づいて前記吐き出し回路と前記吸い込み回路を制御し、吐き出し回路のチャージ量と吸い込み回路のディスチャージ量とのバランスを補正する補正回路とを備え、前記検出回路は、前記出力端子の電位に基づいて前記吐き出し回路と吸い込み回路の状態を検出して前記制御信号を出力し、前記補正回路は、前記制御信号に基づいて、前記出力端子の電位が高い場合には吸い込み回路の駆動能力又は導通度を下げ、前記出力端子の電位が低い場合には吐き出し回路の駆動能力又は導通度を下げるように前記吸い込み回路及び吐き出し回路を制御した。
【手続補正３】
【補正対象書類名】明細書
【補正対象項目名】００４９
【補正方法】削除
【補正の内容】
【手続補正４】
【補正対象書類名】明細書
【補正対象項目名】００５０
【補正方法】変更
【補正の内容】
【００５０】
請求項２に記載の発明は、第１のパルス信号に応答してチャージ動作を行う吐き出し回路と、第２のパルス信号に応答してディスチャージ動作を行う吸い込み回路を含み、前記吐き出し回路と吸い込み回路の接続点を出力端子として該端子から前記チャージ動作とディスチャージ動作に基づく電圧の出力信号を出力するチャージ／ディスチャージ回路と、前記出力端子に接続され、前記吐き出し回路と吸い込み回路の状態を検出し、その検出結果に応じた制御信号を出力する検出回路と、前記制御信号に基づいて前記吐き出し回路と前記吸い込み回路を制御し、吐き出し回路のチャージ量と吸い込み回路のディスチャージ量とのバランスを補正する補正回路とを備え、前記検出回路は、吐き出し回路、吸い込み回路にかかる電位差を検知し、電位差に基づく前記制御信号を出力し、前記補正回路は、吐き出し回路側の電位差が高い場合には吐き出し回路の駆動能力又は導通度を下げ、逆に吸い込み回路側の電位差が高い場合には吸い込み回路の駆動能力又は導通度を下げるように前記吸い込み回路及び吐き出し回路を制御した。
【手続補正５】
【補正対象書類名】明細書
【補正対象項目名】００５１
【補正方法】変更
【補正の内容】
【００５１】
請求項３に記載の発明は、第１のパルス信号に応答してチャージ動作を行う吐き出し回路と、第２のパルス信号に応答してディスチャージ動作を行う吸い込み回路を含み、前記吐き出し回路と吸い込み回路の接続点を出力端子として該端子から前記チャージ動作とディスチャージ動作に基づく電圧の出力信号を出力するチャージ／ディスチャージ回路と、前記出力端子に接続され、前記吐き出し回路と吸い込み回路の状態を検出し、その検出結果に応じた制御信号を出力する検出回路と、前記制御信号に基づいて前記吐き出し回路と前記吸い込み回路を制御し、吐き出し回路のチャージ量と吸い込み回路のディスチャージ量とのバランスを補正する補正回路とを備え、前記検出回路は、吐き出し回路、吸い込み回路に流れる電流量を検知し、電位差に基づく前記制御信号を出力し、前記補正回路は、吐き出し電流の方が多い場合には吐き出し回路の駆動能力又は導通度を下げ、吸い込み電流の方が多い場合には吸い込み回路の駆動能力又は導通度を下げるように前記吸い込み回路及び吐き出し回路を制御した。
【手続補正６】
【補正対象書類名】明細書
【補正対象項目名】００５２
【補正方法】変更
【補正の内容】
【００５２】
請求項４に記載の発明は、第１のパルス信号に応答してチャージ動作を行う吐き出し回路と、第２のパルス信号に応答してディスチャージ動作を行う吸い込み回路を含み、前記吐き出し回路と吸い込み回路の接続点を出力端子として該端子から前記チャージ動作とディスチャージ動作に基づく電圧の出力信号を出力するチャージ／ディスチャージ回路と、前記出力端子に接続され、前記吐き出し回路と吸い込み回路の状態を検出し、その検出結果に応じた制御信号を出力する検出回路と、前記制御信号に基づいて前記吐き出し回路と前記吸い込み回路を制御し、吐き出し回路のチャージ量と吸い込み回路のディスチャージ量とのバランスを補正する補正回路とを備え、前記検出回路は、前記出力端子の電位に基づいて前記吐き出し回路と吸い込み回路の状態を検出して前記制御信号を出力し、前記補正回路は、前記制御信号に基づいて、前記出力端子の電位が高い場合には吐き出し回路の駆動能力又は導通度を上げ、前記出力端子の電位が低い場合には吸い込み回路の駆動能力又は導通度を上げるように前記吸い込み回路及び吐き出し回路を制御した。
【手続補正７】
【補正対象書類名】明細書
【補正対象項目名】００５３
【補正方法】変更
【補正の内容】
【００５３】
請求項５に記載の発明は、第１のパルス信号に応答してチャージ動作を行う吐き出し回路と、第２のパルス信号に応答してディスチャージ動作を行う吸い込み回路を含み、前記吐き出し回路と吸い込み回路の接続点を出力端子として該端子から前記チャージ動作とディスチャージ動作に基づく電圧の出力信号を出力するチャージ／ディスチャージ回路と、前記出力端子に接続され、前記吐き出し回路と吸い込み回路の状態を検出し、その検出結果に応じた制御信号を出力する検出回路と、前記制御信号に基づいて前記吐き出し回路と前記吸い込み回路を制御し、吐き出し回路のチャージ量と吸い込み回路のディスチャージ量とのバランスを補正する補正回路とを備え、前記検出回路は、吐き出し回路、吸い込み回路にかかる電位差を検知し、電位差に基づく前記制御信号を出力し、前記補正回路は、吐き出し回路側の電位差が高い場合には吸い込み回路の駆動能力又は導通度を上げ、逆に吸い込み回路側の電位差が高い場合には吐き出し回路の駆動能力又は導通度を上げるように前記吸い込み回路及び吐き出し回路を制御した。
【手続補正８】
【補正対象書類名】明細書
【補正対象項目名】００５４
【補正方法】変更
【補正の内容】
【００５４】
請求項６に記載の発明は、第１のパルス信号に応答してチャージ動作を行う吐き出し回路と、第２のパルス信号に応答してディスチャージ動作を行う吸い込み回路を含み、前記吐き出し回路と吸い込み回路の接続点を出力端子として該端子から前記チャージ動作とディスチャージ動作に基づく電圧の出力信号を出力するチャージ／ディスチャージ回路と、前記出力端子に接続され、前記吐き出し回路と吸い込み回路の状態を検出し、その検出結果に応じた制御信号を出力する検出回路と、前記制御信号に基づいて前記吐き出し回路と前記吸い込み回路を制御し、吐き出し回路のチャージ量と吸い込み回路のディスチャージ量とのバランスを補正する補正回路とを備え、前記検出回路は、吐き出し回路、吸い込み回路に流れる電流量を検知し、電位差に基づく前記制御信号を出力し、前記補正回路は、吐き出し電流の方が多い場合には吸い込み回路の駆動能力又は導通度を上げ、吸い込み電流の方が多い場合には吐き出し回路の駆動能力又は導通度を上げるように前記吸い込み回路及び吐き出し回路を制御した。
請求項７に記載の発明は、請求項１乃至６のうちの何れか１項に記載のチャージポンプ回路において、前記吐き出し回路と前記吸い込み回路はそれぞれゲートに前記第１，第２のパルス信号がそれぞれ入力される一対の第１トランジスタを含み、前記補正回路は、前記一対のトランジスタのゲートにドレインが接続され、ゲートに前記制御信号が入力される一対の第２トランジスタを含み、前記制御信号に基づいて前記一対の第２トランジスタをそれぞれ駆動して前記一対の第１トランジスタのゲート電圧を制御し、該一対の第１トランジスタの駆動能力又は導通度を変更するようにした。
【手続補正９】
【補正対象書類名】明細書
【補正対象項目名】００５５
【補正方法】変更
【補正の内容】
【００５５】
請求項８に記載の発明は、請求項７に記載のチャージポンプ回路において、前記検出回路は、前記第１の吐き出し回路にかかる電位差を検知し、検知した電流量に応じた電圧の第１の制御信号を出力する第１のオペアンプと、前記第１の吸い込み回路にかかる電位差を検知し、検知した電流量に応じた電圧の第２の制御信号を出力する第２のオペアンプとを備え、前記補正回路は、前記第１，第２の制御信号に基づいて前記一対の第２トランジスタを制御して前記一対の第１トランジスタのゲート電圧を制御するようにした。
【手続補正１０】
【補正対象書類名】明細書
【補正対象項目名】００５６
【補正方法】変更
【補正の内容】
【００５６】
請求項９に記載の発明は、請求項７に記載のチャージポンプ回路において、前記検出回路は、前記第１の吐き出し回路に流れる電流量を検知し、検知した電流量に応じた電圧の第１の検知信号を出力する第１の電流量検知手段と、前記第１の吸い込み回路に流れる電流量を検知し、検知した電流量に応じた電圧の第２の検知信号を出力する第２の電流量検知手段と、前記第１，第２の検知信号を比較し、その比較結果を制御信号として出力する比較器とを備え、前記補正回路は、前記制御信号に基づいて前記一対の第２トランジスタを制御して前記一対の第１トランジスタのゲート電圧を制御するようにした。
【手続補正１１】
【補正対象書類名】明細書
【補正対象項目名】００５７
【補正方法】変更
【補正の内容】
【００５７】
請求項１０に記載の発明は、請求項１乃至６のうちの何れか１項に記載のチャージポンプ回路において、前記吐き出し回路は、前記第１のパルス信号に基づいてチャージ動作を行う第１の吐き出し回路と、前記補正回路によりチャージ量が制御される第２の吐き出し回路とを備え、前記吸い込み回路は、前記第２のパルス信号に基づいてディスチャージ動作を行う第１の吸い込み回路と、前記補正回路によりディスチャージ量が制御される第２の吸い込み回路とを備えた。
【手続補正１２】
【補正対象書類名】明細書
【補正対象項目名】００５８
【補正方法】変更
【補正の内容】
【００５８】
請求項１１に記載の発明は、請求項１０に記載のチャージポンプ回路において、前記第２の吐き出し回路と前記第２の吸い込み回路を複数対備え、前記補正回路は、前記検出信号に基づいて動作させる前記第２の吐き出し回路と第２の吸い込み回路の対の数を変更するようにした。
【手続補正１３】
【補正対象書類名】明細書
【補正対象項目名】００５９
【補正方法】変更
【補正の内容】
【００５９】
請求項１２に記載の発明は、請求項１０又は１１に記載のチャージポンプ回路において、前記検出回路は、前記第１の吐き出し回路にかかる電位差を検知し、検知した電流量に応じた電圧の第１の制御信号を出力する第１のオペアンプと、前記第１の吸い込み回路にかかる電位差を検知し、検知した電流量に応じた電圧の第２の制御信号を出力する第２のオペアンプとを備え、前記補正回路は、前記第１の制御信号に基づいて前記第２の吐き出し回路を制御し、前記第２の制御信号に基づいて前記第２の吸い込み回路を制御するようにした。
【手続補正１４】
【補正対象書類名】明細書
【補正対象項目名】００６０
【補正方法】変更
【補正の内容】
【００６０】
請求項１３に記載の発明は、請求項１０又は１１に記載のチャージポンプ回路において、前記検出回路は、前記第１の吐き出し回路に流れる電流量を検知し、検知した電流量に応じた電圧の第１の検知信号を出力する第１の電流量検知手段と、前記第１の吸い込み回路に流れる電流量を検知し、検知した電流量に応じた電圧の第２の検知信号を出力する第２の電流量検知手段と、前記第１，第２の検知信号を比較し、その比較結果を制御信号として出力する比較器とを備え、前記補正回路は、前記制御信号に基づいて前記第２の吐き出し回路又は前記第２の吸い込み回路を動作させるようにした。
【手続補正１５】
【補正対象書類名】明細書
【補正対象項目名】００６１
【補正方法】変更
【補正の内容】
【００６１】
請求項１４に記載の発明は、基準信号と比較信号が入力され、基準信号と比較信号の位相差に基づくパルス幅の第１，第２位相差信号を出力する位相比較器と、前記第１，第２パルス信号として前記位相比較器から出力される前記第１，第２位相差信号をそれぞれ入力し、前記第１，第２位相差信号に基づく出力信号を出力する請求項１乃至１３のうちの何れか１項に記載のチャージポンプ回路と、前記チャージポンプ回路から出力される出力信号の電圧値に応じた周波数信号を出力する電圧制御発信器と、前記周波数信号を分周して前記比較信号を出力する分周回路とを備えた。
【手続補正１６】
【補正対象書類名】明細書
【補正対象項目名】００６２
【補正方法】変更
【補正の内容】
【００６２】
請求項１５に記載の発明は、入力される制御電圧信号の電圧値に応じた周波数信号を出力する電圧制御発振器と、所定周波数の発信信号を基準周波数に分周した基準信号を出力する基準分周器と、前記電圧制御発振器の周波数信号を分周した比較信号を出力する比較分周器と、前記基準信号の位相と前記比較信号の位相を比較し、その比較結果に基づいて前記基準信号と比較信号に対応した第１，第２の位相差信号を出力する位相比較器と、前記第１，第２の位相差信号に基づいた制御電圧信号を前記電圧制御発振器に出力する請求項１乃至１３のうちの何れか１項に記載のチャージポンプ回路とを備えた。
【手続補正１７】
【補正対象書類名】明細書
【補正対象項目名】００６３
【補正方法】削除
【補正の内容】
【手続補正１８】
【補正対象書類名】明細書
【補正対象項目名】００６４
【補正方法】変更
【補正の内容】
【００６４】
（作用）
請求項１に記載の発明によれば、出力信号Ｃｏの電圧に応じてアンバランスとなる吐き出し回路２のチャージ量と吸い込み回路３のディスチャージ量が検出回路４と補正回路５により補正される。検出回路は、出力端子の電位に基づいて吐き出し回路と吸い込み回路の状態を検出して制御信号を出力する。補正回路は、制御信号に基づいて、出力端子の電位が高い場合には吸い込み回路の駆動能力又は導通度を下げ、出力端子の電位が低い場合には吐き出し回路の駆動能力又は導通度を下げるように吸い込み回路及び吐き出し回路を制御し、チャージ量とディスチャージ量のバランスが補正される。
【手続補正１９】
【補正対象書類名】明細書
【補正対象項目名】００６５
【補正方法】変更
【補正の内容】
【００６５】
請求項２に記載の発明によれば、出力信号Ｃｏの電圧に応じてアンバランスとなる吐き出し回路２のチャージ量と吸い込み回路３のディスチャージ量が検出回路４と補正回路５により補正される。検出回路は、吐き出し回路、吸い込み回路にかかる電位差を検知し、電位差に基づく制御信号を出力する。補正回路は、吐き出し回路側の電位差が高い場合には吐き出し回路の駆動能力又は導通度を下げ、逆に吸い込み回路側の電位差が高い場合には吸い込み回路の駆動能力又は導通度を下げるように吸い込み回路及び吐き出し回路を制御し、チャージ量とディスチャージ量のバランスが補正される。
【手続補正２０】
【補正対象書類名】明細書
【補正対象項目名】００６６
【補正方法】変更
【補正の内容】
【００６６】
請求項３に記載の発明によれば、出力信号Ｃｏの電圧に応じてアンバランスとなる吐き出し回路２のチャージ量と吸い込み回路３のディスチャージ量が検出回路４と補正回路５により補正される。検出回路は、吐き出し回路、吸い込み回路に流れる電流量を検知し、電位差に基づく制御信号を出力する。補正回路は、吐き出し電流の方が多い場合には吐き出し回路の駆動能力又は導通度を下げ、吸い込み電流の方が多い場合には、吸い込み回路の駆動能力又は導通度を下げるように吸い込み回路及び吐き出し回路を制御し、チャージ量とディスチャージ量のバランスが補正される。
請求項４に記載の発明によれば、出力信号Ｃｏの電圧に応じてアンバランスとなる吐き出し回路２のチャージ量と吸い込み回路３のディスチャージ量が検出回路４と補正回路５により補正される。検出回路は、出力端子の電位に基づいて吐き出し回路と吸い込み回路の状態を検出して制御信号を出力する。
【手続補正２１】
【補正対象書類名】明細書
【補正対象項目名】００６８
【補正方法】変更
【補正の内容】
【００６８】
請求項５に記載の発明によれば、出力信号Ｃｏの電圧に応じてアンバランスとなる吐き出し回路２のチャージ量と吸い込み回路３のディスチャージ量が検出回路４と補正回路５により補正される。検出回路は、吐き出し回路、吸い込み回路にかかる電位差を検知し、電位差に基づく制御信号を出力する。
補正回路は、吐き出し回路側の電位差が高い場合には吸い込み回路の駆動能力又は導通度を上げ、逆に吸い込み回路側の電位差が高い場合には吐き出し回路の駆動能力又は導通度を上げるように吸い込み回路及び吐き出し回路を制御し、チャージ量とディスチャージ量のバランスが補正される。
【手続補正２２】
【補正対象書類名】明細書
【補正対象項目名】００６９
【補正方法】変更
【補正の内容】
【００６９】
請求項６に記載の発明によれば、出力信号Ｃｏの電圧に応じてアンバランスとなる吐き出し回路２のチャージ量と吸い込み回路３のディスチャージ量が検出回路４と補正回路５により補正される。検出回路は、吐き出し回路、吸い込み回路に流れる電流量を検知し、電位差に基づく制御信号を出力する。
補正回路は、吐き出し電流の方が多い場合には吸い込み回路の駆動能力又は導通度を上げ、吸い込み電流の方が多い場合には吐き出し回路の駆動能力又は導通度を上げるように吸い込み回路及び吐き出し回路を制御し、チャージ量とディスチャージ量のバランスが補正される。
【手続補正２３】
【補正対象書類名】明細書
【補正対象項目名】００７０
【補正方法】変更
【補正の内容】
【００７０】
請求項７に記載の発明によれば、吐き出し回路と吸い込み回路はそれぞれゲートに第１，第２のパルス信号がそれぞれ入力される一対の第１トランジスタを含む。補正回路は、一対のトランジスタのゲートにドレインが接続され、ゲートに制御信号が入力される一対の第２トランジスタを含み、制御信号に基づいて一対の第２トランジスタをそれぞれ駆動して一対の第１トランジスタのゲート電圧を制御してチャージ量とディスチャージ量を変更し、チャージ量とディスチャージ量のバランスが補正される。
【手続補正２４】
【補正対象書類名】明細書
【補正対象項目名】００７１
【補正方法】変更
【補正の内容】
【００７１】
請求項８に記載の発明によれば、検出回路は、第１の吐き出し回路にかかる電位差を検知し、検知した電流量に応じた電圧の第１の制御信号を出力する第１のオペアンプと、第１の吸い込み回路にかかる電位差を検知し、検知した電流量に応じた電圧の第２の制御信号を出力する第２のオペアンプとを備える。そして、補正回路は、第１，第２の制御信号に基づいて一対の第２トランジスタを制御して一対の第１トランジスタのゲート電圧を制御し、チャージ量とディスチャージ量の補正量が変更される。
【手続補正２５】
【補正対象書類名】明細書
【補正対象項目名】００７２
【補正方法】変更
【補正の内容】
【００７２】
請求項９に記載の発明によれば、検出回路は、第１の吐き出し回路に流れる電流量を検知し、検知した電流量に応じた電圧の第１の検知信号を出力する第１の電流量検知手段と、第１の吸い込み回路に流れる電流量を検知し、検知した電流量に応じた電圧の第２の検知信号を出力する第２の電流量検知手段と、第１，第２の検知信号を比較し、その比較結果を制御信号として出力する比較器とを備える。そして、補正回路は、制御信号に基づいて一対の第２トランジスタを制御して一対の第１トランジスタのゲート電圧を制御し、チャージ量とディスチャージ量の補正量が変更される。
【手続補正２６】
【補正対象書類名】明細書
【補正対象項目名】００７３
【補正方法】変更
【補正の内容】
【００７３】
請求項１０に記載の発明によれば、吐き出し回路は、第１のパルス信号に基づいてチャージ動作を行う第１の吐き出し回路と、補正回路によりチャージ量が制御される第２の吐き出し回路が備えられる。吸い込み回路は、第２のパルス信号に基づいてディスチャージ動作を行う第１の吸い込み回路と、補正回路によりディスチャージ量が制御される第２の吸い込み回路がを備えられる。そして、第２の吐き出し回路と第２の吸い込み回路によりチャージ量とディスチャージ量が補正される。
【手続補正２７】
【補正対象書類名】明細書
【補正対象項目名】００７４
【補正方法】変更
【補正の内容】
【００７４】
請求項１１に記載の発明によれば、第２の吐き出し回路と第２の吸い込み回路を複数対備えられる。補正回路は、検出信号に基づいて動作させる第２の吐き出し回路と第２の吸い込み回路の対の数を変更し、チャージ量とディスチャージ量の補正量が変更される。
【手続補正２８】
【補正対象書類名】明細書
【補正対象項目名】００７５
【補正方法】変更
【補正の内容】
【００７５】
請求項１２に記載の発明によれば、検出回路は、第１の吐き出し回路にかかる電位差を検知し、検知した電流量に応じた電圧の第１の制御信号を出力する第１のオペアンプと、第１の吸い込み回路にかかる電位差を検知し、検知した電流量に応じた電圧の第２の制御信号を出力する第２のオペアンプとを備える。そして、補正回路は、第１の制御信号に基づいて第２の吐き出し回路を制御し、第２の制御信号に基づいて第２の吸い込み回路を制御し、チャージ量とディスチャージ量の補正量が変更される。
【手続補正２９】
【補正対象書類名】明細書
【補正対象項目名】００７６
【補正方法】変更
【補正の内容】
【００７６】
請求項１３に記載の発明によれば、検出回路は、第１の吐き出し回路に流れる電流量を検知し、検知した電流量に応じた電圧の第１の検知信号を出力する第１の電流量検知手段と、第１の吸い込み回路に流れる電流量を検知し、検知した電流量に応じた電圧の第２の検知信号を出力する第２の電流量検知手段と、第１，第２の検知信号を比較し、その比較結果を制御信号として出力する比較器とを備える。そして、補正回路は、制御信号に基づいて第２の吐き出し回路又は第２の吸い込み回路を動作させ、チャージ量とディスチャージ量の補正量が変更される。
【手続補正３０】
【補正対象書類名】明細書
【補正対象項目名】００７７
【補正方法】変更
【補正の内容】
【００７７】
請求項１４，１５に記載の発明によれば、ＰＬＬ回路，ＰＬＬ周波数シンセサイザには、チャージ量とディスチャージ量のバランスが補正されたチャージポンプ回路が備えられ、ロック動作が安定するとともに、ロックまでの時間が短縮される。